(57)【要約】  開封後、被包装物の取出しが容易となる包装袋を開示する。本発明によれば、第１の包装フィルム（１４）と第２の包装フィルム（１６）とを重ね、その周囲を閉じてなる包装袋（１０）において、当該包装袋を開封するために切断されるべき開封予定線（１８，２０）が規定されており、第１の包装フィルムと第２の包装フィルムの少なくとも一方が、無負荷状態で湾曲する性質を有しており、前記開封予定線に沿って当該包装袋を開封した直後から、第１の包装フィルムの開封縁（２８）の少なくとも一部が第２の包装フィルムの開封縁（３０）から離隔するように、開封予定線が規定されていることを特徴とする。
2015105101.tif 000002
【特許請求の範囲】
【請求項１】
第１の包装フィルムと第２の包装フィルムとを重ね、その周囲を閉じてなる包装袋において、  当該包装袋を開封するために切断されるべき開封予定線が規定されており、  前記第１の包装フィルムと前記第２の包装フィルムの少なくとも一方が、無負荷状態で湾曲する性質を有しており、  前記開封予定線に沿って当該包装袋を開封した直後から、前記第１の包装フィルムの開封縁の少なくとも一部が前記第２の包装フィルムの開封縁から離隔するように、前記開封予定線が規定されていることを特徴とする、包装袋。
【請求項２】
前記開封予定線に沿って開封された当該包装袋の前記開封縁は、その一方の端部と他方の端部との間の部分の少なくとも一部が、前記一方の端部と前記他方の端部とを結ぶ直線よりも外方に位置していることを特徴とする、請求項１に記載の包装袋。
【請求項３】
前記開封予定線に沿って当該包装袋を開封した直後から３秒以内に、前記第１の包装フィルムの開封縁の少なくとも一部が３ｍｍ以上、前記第２の包装フィルムの開封縁から離隔することを特徴とする、請求項１又は２に記載の包装袋。
【請求項４】
当該包装袋は矩形であり、  前記開封予定線は、当該包装袋の第１の辺の近傍にて前記第１の辺と平行に延びる第１の開封予定線と、前記第１の辺に隣接する当該包装袋の第２の辺の近傍にて前記第２の辺と平行に延びる第２の開封予定線とからなる、請求項１〜３のいずれか一項に記載の包装袋。
【請求項５】
前記開封予定線上に開封用の弱め線が形成されていることを特徴とする、請求項１〜４のいずれか一項に記載の包装袋。
【請求項６】
前記第１の包装フィルムの内面および前記第２の包装フィルムの内面の少なくとも一方にシリコン加工、エンボス加工又はサンド加工が施されていることを特徴とする、請求項１〜５のいずれか一項に記載の包装袋。
【発明の詳細な説明】
【技術分野】
【０００１】  本発明は、包装袋に関し、特に、例えば薬物を経皮投与する貼付剤のようなシート状被包装物を包装するための包装袋に関する。
【背景技術】
【０００２】  貼付剤用の包装袋としては、特許文献１に開示されているような一直線状の弱め線を備えたものが一般的である。この包装袋は、弱め線が包装袋の表裏の同一位置に形成されているため、弱め線に沿って開封した後に形成される切り口の縁部（以下、「開封縁」という）を開け広げにくく、また、被包装物が開封縁よりも離れて入っている場合には、中の被包装物を取り出しにくいという問題点がある。特に、貼付剤のようなシート状被包装物の場合、包装袋の外周部分が密着しやすいため、この問題は顕著となる。【０００３】  このため、従来においては、特許文献２に記載の包装袋のように、周囲のシール部を易剥離樹脂層同士のシールとし、一辺に沿って形成された弱め線から開封した後、包装袋を観音開きとなるように開封することができるようにしたものが提案されている。包装袋を観音開きとなるように開封することができれば、内部の被包装物を容易に取り出すことができる。
【先行技術文献】
【特許文献】
【０００４】
【特許文献１】登録実用新案第２５６６４４４号公報
【特許文献２】特開平１１−１７１２４４号公報
【発明の概要】
【発明が解決しようとする課題】
【０００５】  しかし、特許文献２に記載の包装袋についても、弱め線が包装袋の表裏の同一位置に形成されているため、観音開きとなるように開封するためには開封端から指を包装袋の中に差し入れなければならず、やはり被包装物の取出しに手間がかかるものであった。【０００６】  そこで、本発明は、開封後、被包装物の取出しが容易となる包装袋を提供することを目的とする。
【課題を解決するための手段】
【０００７】  上記目的を達成するために、本発明によれば、第１の包装フィルムと第２の包装フィルムとを重ね、その周囲を閉じてなる包装袋において、当該包装袋を開封するために切断されるべき開封予定線が規定されており、第１の包装フィルムと第２の包装フィルムの少なくとも一方が、無負荷状態で湾曲する性質を有しており、前記開封予定線に沿って当該包装袋を開封した直後から、第１の包装フィルムの開封縁の少なくとも一部が第２の包装フィルムの開封縁から離隔するように、開封予定線が規定されていることを特徴としている。【０００８】  開封予定線の一例としては、開封予定線に沿って開封した場合、開封縁の一方の端部と他方の端部との間の部分の少なくとも一部が、一方の端部と他方の端部とを結ぶ直線よりも外方に位置するものがある。ここで、本明細書において用いる「外方」は包装袋の中心から見て外側の方向をいう。【０００９】  このような構成の包装袋においては、開封すると同時に第１の包装フィルムの開封縁の少なくとも一部が第２の包装フィルムの開封縁から離隔される。これによって、離隔した開封縁間に指を差し入れることができ、内部の被包装物を容易に取り出すことが可能となる。【００１０】  開封縁同士の離隔の程度については、開封予定線に沿って包装袋を開封した直後から３秒以内に、第１の包装フィルムの開封縁の少なくとも一部が３ｍｍ以上、第２の包装フィルムの開封縁から離隔する程度とするのが好ましい。３秒以内に離隔していれば、被包装物の取出しに緊急を要する場合にも対応でき、また、３ｍｍ以上離隔していれば、指を包装袋内に差し入れることが可能であるからである。【００１１】  包装袋が矩形（正方形を含む）である場合、開封予定線は、包装袋の第１の辺の近傍にてこの第１の辺と平行に延びる第１の開封予定線と、第１の辺に隣接する包装袋の第２の辺の近傍にてこの第２の辺と平行に延びる第２の開封予定線とからなるものが好適である。このような開封予定線に沿って開封した場合、包装袋の約半分の領域が湾曲し、開封縁同士の間が大きく離隔して、内部の被包装物が外部に露出することになり、被包装物の取出しがより一層容易になるためである。なお、ここでいう「平行」とは完全な平行状態に限らず、一般的な平行状態、例えば、対応の辺に対して若干の角度が付いたものや、開封予定線自体が波線状となっているものをも含む。また、矩形の包装袋の第３の辺（第１又は第２の辺に隣接する辺）と平行に延びる第３の開封予定線が設けられてもよい。【００１２】  なお、開封予定線に沿っての開封を確実に行うために、開封予定線上に開封用の弱め線が形成されていることが有効である。【００１３】  また、第１の包装フィルムの内面および第２の包装フィルムの内面の少なくとも一方にシリコン加工、エンボス加工又はサンド加工を施すことが好適である。包装フィルム同士の貼付き、或いは、包装フィルムと被包装物との貼付きを抑制できるからである。
【発明の効果】
【００１４】  以上述べたように、本発明によれば、包装袋を開封したと同時に、第１及び第２の包装フィルムの開封縁同士の間が離隔することになり、開封縁を開け広げることが容易となる。これにより、内部の被包装物の取出しが容易となる。特に、被包装物がシート状である場合には、従来の包装袋では、第１の包装フィルムと第２の包装フィルムに密着する傾向があったが、本発明によれば開封縁同士の間が離隔するため、被包装物が取り出し易く、極めて有効である。
【図面の簡単な説明】
【００１５】
【図１】本発明による包装袋の一実施形態を示し、（ａ）は開封前、（ｂ）は開封後の状態を示す斜視図である。
【図２】（ａ）〜（ｃ）は開封前から開封後の包装袋の状態を概略的に示す図１の（ａ）のII−II線に沿っての断面図である。
【図３】無負荷状態で湾曲する性質を有する包装袋の作製方法を示す概念図である。
【図４】本発明による包装袋の別の実施形態を示す図２と同様な断面図である。
【図５】（ａ）〜（ｃ）はそれぞれ本発明の包装袋に適用可能である弱め線の形態を示す斜視図である。
【発明を実施するための形態】
【００１６】  以下、図面を参照しながら本発明の好適な実施形態について詳細に説明する。なお、図中、同一又は相当部分には同一符号を付し、重複する説明は省略することとする。
【００１７】  図１の（ａ）は本発明による包装袋１０の一実施形態を示す斜視図であり、（ｂ）はその開封状態を示す斜視図である。図２の（ａ）〜（ｃ）は、開封前から開封後の包装袋１０の形状変化を概略的に示す断面図である。
【００１８】  本発明による包装袋１０の外形は特に限定されないが、説明を簡単にするために、本実施形態では矩形とする。なお、「矩形」は、角が丸められたものも含むものとする。また、包装袋１０が包装する被包装物１２も限定されないが、例えば薬物を経皮投与する貼付剤等のシート状物とする。この被包装物１２の外形も特に限定されないが、本実施形態では、包装袋１０と相似の矩形とする。
【００１９】  包装袋１０は、表側包装フィルム（以下、「第１の包装フィルム」という）１４と、裏側包装フィルム（以下、「第２の包装フィルム」という）１６とから構成されている。各包装フィルム１４，１６は、２層以上の複合フィルムとすることが好ましく、また、第１の包装フィルム１４と第２の包装フィルム１６とで積層される材料が異なっていてもよい。また、包装フィルム１４，１６を構成する材料としては、紙、シリコン加工紙、アルミニウム（ＡＬ）、ポリエチレンテレフタレート（ＰＥＴ）、ポリエチレン（ＰＥ）、ポリプロピレン（ＰＰ）、ポリアクリロニトリル（ＰＡＮ）、エチレンビニルアルコール（ＥＶＯＨ）及びセロハン等が挙げられ、複合フィルムの場合は、これらを任意に組み合わせたものが考えられる。
【００２０】  具体的には、第１及び第２の包装フィルム１４，１６は、少なくともＰＥＴ層、アルミニウム層及びＰＥ層を、外面となる側より順に積層して形成されたものが好適である。ＰＥＴ層は酸素の透過性が低く、アルミニウム層は気密性に優れ、適当な強度ないし剛性を有するからである。また、ＰＥ層は包装フィルム１４，１６同士をヒートシールする場合に適している。このような材料による多層構造により、貼付剤等を包装する場合、薬物の劣化を防止できるとともに、貼付剤の形状を維持することができ、有効である。
【００２１】  勿論、包装フィルム１４，１６の積層構造は上記に限定されず、種々考えられる。例えば、外側より順に、ＰＥＴ／ＡＬ／ＰＡＮを積層したもの、ＰＥＴ／ＰＥ／ＡＬ／ＰＥＴを積層したもの、セロハン／ＰＥ／ＡＬ／ＰＥＴを積層したもの、或いは、セロハン／ＰＥ／ＡＬ／ＰＡＮを積層したもの等が好適に用いられ得る。
【００２２】  また、第１及び第２の包装フィルム１４，１６は共に、無負荷状態で湾曲する性質を有している。かかる性質を有する包装フィルム１４，１６は、様々な方法で作製することが可能であるが、例えば、ＰＥＴ層、アルミニウム層及びＰＥ層の３層構造の包装フィルムの場合、図３に概念的に示すように、一方の側の外層（ＰＥ層）よりも他方の側の外層（ＰＥＴ層）にテンションをかけた状態で積層することで、無負荷状態で湾曲する包装フィルム１４，１６を得ることができる。また、一方の側の外層を熱収縮性の材料から構成し、積層後、その外層に対して加熱処理をすることで、湾曲する性質を持たせることもできる。
【００２３】  第１及び第２の包装フィルム１４，１６を、無負荷状態で凹状に湾曲する面（ＰＥＴ層側）が包装袋１０の外面となるように向け、互いに重ね合わせた後、外周部分をシールする。これによって、収容部とシール部とを備える包装袋１０が形成される。シール方法としてはヒートシール法が好ましいが、接着剤を用いての圧着など、他の方法を採ってもよい。
【００２４】  また、本実施形態に係る包装袋１０においては、二点鎖線で示す部分、すなわち包装袋の４辺のうち隣合う２辺のそれぞれに沿って平行に延びる直線が、包装袋を切り裂いて開封するため開封予定線１８，２０となっている。この開封予定線１８，２０に沿って開封するために、包装袋１０の表面にガイド用の絵や記号、その他の表示２２を印刷しておくことが好適である。図示実施形態では矢印２２が表示されている、また、開封予定線１８，２０の端部に、切欠き２３，２４，２５，２６、切込みノッチ又は鋸歯カット等を設けておくことが、より好適である。さらに、開封予定線１８，２０に沿っての開封をより確実に行うために、包装フィルム１４，１６の強度ないし剛性を弱めた弱め線を設けることが有効である。弱め線としては、包装フィルム１４，１６の強度を熱処理により局所的に脆弱化したものやミシン目等が考えられる。
【００２５】  次に、図１及び図２を参照し、本発明による包装袋１０の開封方法について説明する。まず、包装袋１０を開封するためには、使用者は、一方の開封予定線（第１の開封予定線）１８の端部にある切欠きのいずれか（２３）を起点として、矢印２２の向きに開封予定線１８に沿って包装袋１０を切り裂く。次に、残った切欠き２６を起点にし、矢印２２の向きに残りの開封予定線（第２の開封予定線）２０に沿って包装袋１０を切り裂く。
【００２６】  このようにして開封が完了すると、それと同時に、第１及び第２の包装フィルム１４，１６の性質によって、それぞれの開封縁２８，３０の内側部分が、開封縁２８，３０の両端３２，３４を結ぶ直線を軸にして外方に湾曲を開始し、開封縁２８，３０同士が離隔し、短時間のうちに図１の（ｂ）及び図２の（ｃ）に示す状態となる。この状態では、被包装物１２の一部が露出されることになるので、使用者は被包装物１２のこの露出部を指で摘むことができ、容易にこれを取り出すことが可能となる。特に、心臓病用貼付剤等は、発作が生じた際に迅速に貼付剤を皮膚に貼りたいという強い要請があるが、本実施形態に係る包装袋１０はかかる要請に十分に応え得るものである。
【００２７】  なお、開封と同時に湾曲が開始するが、図１の（ｂ）及び図２の（ｃ）に示す最終の安定状態に至るまでの時間は３秒以内であることが好ましい。３秒以内にこの状態になれば、被包装物１２の取出しに緊急を要する場合でも対応できると考えられるからである。従来の包装袋でも、包装フィルムの種類によっては開封後に放置しておくと、湿度や温度変化によって徐々に包装フィルムが湾曲することもあるが、本発明による包装袋１０は、開封直後から開封縁２８，３０同士を離隔させるために、無負荷状態で湾曲する性質を有する包装フィルム１４，１６を積極的に使用したものであり、両者は区別されるべきものである。
【００２８】  また、図２の（ｂ）が最終の安定状態となってもよい。この状態でも、指を差し入れる空間Ｓが開封縁２８，３０間に形成されており、ここから包装袋１０の内部を押し開き、中の被包装物１２を取り出すことができるからである。また、被包装物１２がシート状物である場合、従来構成では第１及び第２の包装フィルムの外周部分は密着する傾向があるため、僅かでも開封縁２８，３０間に空間Ｓが形成されることは有効である。なお、この空間Ｓの大きさとしては、３ｍｍ以上、より好ましくは１０ｍｍ以上であれば、指の差込みが可能になると考えられる。更に好ましくは２０ｍｍであり、その場合には、指を空間Ｓに差し込んで包装袋１０を押し開かずとも、被包装物１２を摘んで取り出すことができる。
【００２９】  以上、本発明の好適な実施形態について説明したが、本発明は上記実施形態に限定されないことは言うまでもない。
【００３０】  例えば、上記実施形態では、第１及び第２の包装フィルム１４，１６が共に湾曲する性質を有するものとしたが、第１及び第２の包装フィルム１４，１６のいずれか一方のみがその性質を有するものとしてもよい。この場合、開封すると、図４に示すような状態となる。また、湾曲が必要な部分のみが湾曲する性質を有するものであってもよい。
【００３１】  また、この湾曲は、図１の（ｃ）や図４の状態を超えて、ゼンマイ状或いは螺旋状に巻回した状態にまで至ってもよい。
【００３２】  さらに、開封予定線上に弱め線を形成する場合、図５の（ａ）〜（ｃ）に示すような、種々の形態が考えられる。図５の各分図のように弱め線３６を形成した場合、符号３８，４０の点を結ぶ線を軸として斜線部分のみが湾曲することになる。
【００３３】  また、矩形の包装袋の場合、開封予定線は図２に示すような２辺に沿う２本だけに限られず、包装袋の３辺と平行に延びる３本の開封予定線が規定されてもよい。なお、上述したが、「平行」とは完全な平行状態に限らず、一般的な平行状態、例えば、対応の辺に対して若干の角度が付いたものや、開封予定線自体が波線状となっているものをも含む。
【００３４】  さらにまた、第１及び第２の包装フィルム同士の貼付き、或いはこれらの包装フィルムが被包装物への貼付きを抑制すべく、これらの包装フィルムの内面（被包装物側の面）はシリコン加工やエンボス加工、サンド加工が施されるとよい。
【符号の説明】
【００３５】  １０…包装袋、１２…被包装物、１４…第１の包装フィルム、１６…第２の包装フィルム、１８…第１の開封予定線、２０…第２の開封予定線、２２…矢印、２３，２４，２５，２６…切欠き、２８，３０…開封縁、３２，３４…開封縁の端部、３６…弱め線、Ｓ…空間 
【図１】
2015105101.tif 000003
【図２】
2015105101.tif 000004
【図３】
2015105101.tif 000005
【図４】
2015105101.tif 000006
【図５】
2015105101.tif 000007
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
第１の包装フィルムと第２の包装フィルムとを重ね、その周囲を閉じてなる貼付剤用の包装袋において、
当該包装袋は矩形であり、
当該包装袋を開封するために切断されるべき開封予定線が第１の包装フィルムと第２の包装フィルムとに規定されており、該開封予定線が、当該包装袋の第１の辺の近傍にて前記第１の辺と平行に延びる第１の開封予定線と、前記第１の辺に隣接する当該包装袋の第２の辺の近傍にて前記第２の辺と平行に延びる第２の開封予定線とからなり、
前記第１の包装フィルムと前記第２の包装フィルムとがそれぞれ、外面からポリエチレンテレフタレート層、アルミニウム層及びポリエチレン層の積層構造、外面からポリエチレンテレフタレート層、アルミニウム層及びポリアクリロニトリル層の積層構造、外面からポリエチレンテレフタレート層、ポリエチレン層、アルミニウム層及びポリエチレンテレフタレート層の積層構造、外面からセロハン層、ポリエチレン層、アルミニウム層及びポリエチレンテレフタレート層の積層構造、並びに外面からセロハン層、ポリエチレン層、アルミニウム層及びポリアクリロニトリル層の積層構造よりなる群から選択される１つの積層構造であり、かつ、無負荷状態で湾曲する性質を有しており、
前記開封予定線に沿って当該包装袋を開封した直後から３秒以内に、前記第１の包装フィルムの開封縁の少なくとも一部が３ｍｍ以上、前記第２の包装フィルムの開封縁から離隔するように構成されていることを特徴とする、包装袋。
【請求項２】
前記開封予定線上に開封用の弱め線が形成されていることを特徴とする、請求項１に記載の包装袋。
【請求項３】
前記第１の包装フィルムの内面および前記第２の包装フィルムの内面の少なくとも一方にシリコン加工、エンボス加工又はサンド加工が施されていることを特徴とする、請求項１又は２に記載の包装袋。
【請求項４】
第１の包装フィルムと第２の包装フィルムとを重ね、その周囲を閉じてなる貼付剤用の包装袋において、
当該包装袋を開封するために切断されるべき１本の開封予定線が前記第１の包装フィルムと前記第２の包装フィルムとのそれぞれに規定されており、
前記第１の包装フィルムと前記第２の包装フィルムとがそれぞれ、外面からポリエチレンテレフタレート層、アルミニウム層及びポリエチレン層の積層構造、外面からポリエチレンテレフタレート層、アルミニウム層及びポリアクリロニトリル層の積層構造、外面からポリエチレンテレフタレート層、ポリエチレン層、アルミニウム層及びポリエチレンテレフタレート層の積層構造、外面からセロハン層、ポリエチレン層、アルミニウム層及びポリエチレンテレフタレート層の積層構造、並びに外面からセロハン層、ポリエチレン層、アルミニウム層及びポリアクリロニトリル層の積層構造よりなる群から選択される１つの積層構造であり、かつ、無負荷状態で湾曲する性質を有しており、
前記第１の包装フィルムの前記開封予定線と前記第２の包装フィルムの前記開封予定線とのそれぞれは、その一方の端部と他方の端部との間の部分の少なくとも一部が、前記一方の端部と前記他方の端部とを結ぶ直線よりも外方に位置している部分となっており、
前記第１の包装フィルムの前記開封予定線と前記第２の包装フィルムの前記開封予定線とに沿って当該包装袋を開封した直後から３秒以内に、前記第１の包装フィルムの開封縁における前記外方に位置している部分が３ｍｍ以上、前記第２の包装フィルムの開封縁から離隔するように構成されていることを特徴とする、包装袋。
【請求項５】
前記開封予定線上に開封用の弱め線が形成されていることを特徴とする、請求項４に記載の包装袋。
【請求項６】
前記第１の包装フィルムの内面および前記第２の包装フィルムの内面の少なくとも一方にシリコン加工、エンボス加工又はサンド加工が施されていることを特徴とする、請求項４又は５に記載の包装袋。
【国際調査報告】
2015105101.tif 000008
2015105101.tif 000009
2015105101.tif 000010
2015105101.tif 000011